(57)【要約】【課題】電子メガネと照明器具とを備える照明システムであって、照明システム全体における省エネを図る。【解決手段】照明システム１０は、映像表示機能を有する透過型の電子メガネ２０と照明器具４０とを備え、電子メガネ２０は、透過スクリーン２２と、前方を撮影するカメラ２１と、カメラ２１で得られた映像を透過スクリーン２２に表示するメガネ制御部２４と、照明器具４０と通信するメガネ通信部２３とを備え、メガネ制御部２４は、明るさ情報を取得し、空間の明るさが、透過スクリーン２２に映像を表示させるのに十分な明るさとして予め定められた閾値を超えるか否かを判断し、その結果を示す判断情報を照明器具４０に送信する。照明器具４０は、光源４１と、器具通信部４２と、器具通信部４２が電子メガネ２０から判断情報を受信した場合に、判断情報に基づいて光源４１を制御する器具制御部４３とを備える。【選択図】図３
2017147098.tif 000002
【特許請求の範囲】
【請求項１】
映像表示機能を有する透過型の電子メガネと照明器具とを備える照明システムであって、
前記電子メガネは、
透過スクリーンと、
前記電子メガネの前方を撮影するカメラと、
前記カメラで得られた映像を前記透過スクリーンに表示する制御をするメガネ制御部と、
前記照明器具と通信するメガネ通信部とを備え、
前記メガネ制御部は、さらに、当該電子メガネを含む空間の明るさを示す明るさ情報を取得し、取得した前記明るさ情報に基づいて、前記空間の明るさが、前記透過スクリーンに前記映像を表示させるのに十分な明るさとして予め定められた閾値を超えるか否かを判断し、判断した結果を示す情報を、判断情報として前記メガネ通信部を介して前記照明器具に送信し、
前記照明器具は、
光源と、
前記電子メガネと通信する器具通信部と、
前記器具通信部が前記電子メガネから前記判断情報を受信した場合に、前記判断情報に基づいて前記光源を制御する器具制御部とを備える
照明システム。
【請求項２】
前記器具制御部は、前記判断情報が、前記空間の明るさが前記閾値を超えることを示す場合には、前記光源の明るさを低減させる制御をする
請求項１記載の照明システム。
【請求項３】
前記メガネ制御部は、前記カメラで得られた映像に基づいて、前記空間又は前記映像中の対象物について、明るさ及び色温度の少なくとも一つの分布における不均一性を特定し、特定した前記不均一性が均一化されるように、前記透過スクリーンに表示する映像を補正する
請求項１又は２記載の照明システム。
【請求項４】
前記電子メガネは、さらに、外光を取り込んで前記透過スクリーンに導く外光取り込み部を備える
請求項１〜３のいずれか１項に記載の照明システム。
【請求項５】
前記電子メガネは、さらに、当該電子メガネを装着している使用者の額の熱から電力を生成し、生成した前記電力を当該電子メガネの動作用電力として供給する発電部を備える
請求項１〜４のいずれか１項に記載の照明システム。
【請求項６】
前記照明器具は、さらに、人の存在を検知する人感センサを備え、
前記器具制御部は、前記人感センサから出力された信号と前記器具通信部によって前記電子メガネから受信した情報とに基づいて、前記電子メガネを装着していない人がいるか否かを判断し、いると判断した場合に、前記光源の明るさを低減させる制御を抑制する
請求項１〜５のいずれか１項に記載の照明システム。
【発明の詳細な説明】
【技術分野】
【０００１】
本発明は、映像表示機能を有する透過型の電子メガネと照明器具とを備える照明システムに関する。
【背景技術】
【０００２】
従来、映像表示機能を有する透過型の電子メガネが提案されている（例えば、特許文献１参照）。
【０００３】
特許文献１の技術によれば、電子メガネは、虚像形成部である導光装置が画像光と外界光とを重畳させるシースルータイプの虚像表示装置となっている。そして、制御部が、光検出装置によって外界光の明るさを方位に関連づけて検出し、検出された明るさに関する情報に基づいて、画像光を制御する。これにより、観察者が向いている方位からの外界光の明るさに対応して、画像光を制御し、画像光による画像の明るさと外界光による外界像の明るさとのバランスを適度なものにしている。
【先行技術文献】
【特許文献】
【０００４】
【特許文献１】特開２０１３−１８７７９４号公報
【発明の概要】
【発明が解決しようとする課題】
【０００５】
しかしながら、特許文献１の技術では、電子メガネに表示される画像の明るさが調整されるものの、電子メガネが室内で使用される場合には、室内の明るさに依存して電子メガネで表示される画像の明るさが調整されるだけである。そのために、電子メガネで画像を表示するのに必要な明るさ以上に室内が明るい場合であっても、電子メガネで表示される画像の明るさが調整されるだけなので、室内では明るすぎる状況が続き、無駄に電力が消費され、省エネルギー（省エネ）の観点から好ましくない。
【０００６】
そこで、本発明は、電子メガネと照明器具とを備える照明システムであって、照明システム全体における省エネを図ることができる照明システムを提供することを目的とする。
【課題を解決するための手段】
【０００７】
上記目的を達成するために、本発明の一形態に係る照明システムは、映像表示機能を有する透過型の電子メガネと照明器具とを備える照明システムであって、前記電子メガネは、透過スクリーンと、前記電子メガネの前方を撮影するカメラと、前記カメラで得られた映像を前記透過スクリーンに表示する制御をするメガネ制御部と、前記照明器具と通信するメガネ通信部とを備え、前記メガネ制御部は、さらに、当該電子メガネを含む空間の明るさを示す明るさ情報を取得し、取得した前記明るさ情報に基づいて、前記空間の明るさが、前記透過スクリーンに前記映像を表示させるのに十分な明るさとして予め定められた閾値を超えるか否かを判断し、判断した結果を示す情報を、判断情報として前記メガネ通信部を介して前記照明器具に送信し、前記照明器具は、光源と、前記電子メガネと通信する器具通信部と、前記器具通信部が前記電子メガネから前記判断情報を受信した場合に、前記判断情報に基づいて前記光源を制御する器具制御部とを備える。
【発明の効果】
【０００８】
本発明により、電子メガネと照明器具とを備える照明システムであって、照明システム全体における省エネを図ることができる照明システムが提供される。
【図面の簡単な説明】
【０００９】
【図１】実施の形態における照明システムの構成を示す外観図
【図２Ａ】図１に示された電子メガネの内側を見た外観図
【図２Ｂ】図１に示された電子メガネの外側を見た外観図
【図３】図１に示された電子メガネの構成を示すブロック図
【図４】図１に示された照明器具の構成を示すブロック図
【図５Ａ】実施の形態の照明システムの動作を示す通信シーケンス図
【図５Ｂ】図５ＡのステップＳ１０の詳細を示すフローチャート
【図５Ｃ】図５ＡのステップＳ１２の詳細を示すフローチャート
【図６】実施の形態の電子メガネにおける映像の補正処理を説明するための状況説明図
【図７】実施の形態の電子メガネにおける映像の補正処理を示すフローチャート
【図８】実施の形態の照明器具における人感センサを用いた処理を説明するための状況説明図
【図９】実施の形態の照明器具における人感センサを用いた制御を示すフローチャート
【発明を実施するための形態】
【００１０】
以下、本発明の実施の形態について、図面を用いて詳細に説明する。なお、以下で説明する実施の形態は、いずれも本発明の一具体例を示すものである。以下の実施の形態で示される数値、形状、材料、構成要素、構成要素の配置位置及び接続形態、ステップ、ステップの順序等は、一例であり、本発明を限定する主旨ではない。また、以下の実施の形態における構成要素のうち、本発明の最上位概念を示す独立請求項に記載されていない構成要素については、任意の構成要素として説明される。
【００１１】
図１は、実施の形態における照明システム１０の構成を示す外観図である。照明システム１０は、照明システム全体における省エネを図る機能をもった照明システムであり、映像表示機能を有する透過型の電子メガネ２０と照明器具４０とを備える。
【００１２】
電子メガネ２０は、電子メガネ２０に装備されたカメラで撮像された前方の鮮明な映像を使用者１２に提供する眼鏡であり、弱視を補うため等に用いられる。
【００１３】
照明器具４０は、電子メガネ２０と連携して動作する機能を有する照明器具であり、例えば、シーリングライト、スタンドライト等である。
【００１４】
図２Ａは、図１に示された電子メガネ２０の内側を見た（装着する使用者側から電子メガネ２０を見た）外観図である。図２Ｂは、図１に示された電子メガネ２０の外側を見た（前方から電子メガネ２０を見た）外観図である。なお、前方とは、電子メガネ２０を装着した使用者の顔面が向く方向をいう。図３は、図１に示された電子メガネ２０の構成を示すブロック図である。
【００１５】
電子メガネ２０は、フレーム２７の他に、カメラ２１（２１ａ及び２１ｂ）、透過スクリーン２２（２２ａ及び２２ｂ）、メガネ通信部２３、メガネ制御部２４、外光取り込み部２５（２５ａ及び２５ｂ）及び発電部２６を備える。なお、電子メガネ２０には、透過スクリーン２２を照らすバックライト光源が内蔵されているが、バックライト光源の図示は省略されている。
【００１６】
透過スクリーン２２（２２ａ及び２２ｂ）は、一般のメガネのレンズに相当する位置に配置され、カメラ２１（２１ａ及び２１ｂ）で得られた映像を表示するための透過型のスクリーンである。透過スクリーン２２は（２２ａ及び２２ｂ）、例えば、液晶パネル、あるいは、照明（バックライト光源）用の有機ＥＬ（ＥｌｅｃｔｒｏＬｕｍｉｎｅｓｃｅｎｃｅ）パネルに組み込まれた液晶パネルである。本実施の形態では、右眼用透過スクリーン２２ａには右眼用カメラ２１ａで得られた映像が表示され、左眼用透過スクリーン２２ｂには左眼用カメラ２１ｂで得られた映像が表示される。なお、透過スクリーン２２は、右眼用と左眼用で一体となったスクリーンであってもよい。また、電子メガネ２０の電源がオフされる等によって透過スクリーン２２に映像が表示されていない状態では、透過スクリーン２２は、透過状態を維持する。この状態では、電子メガネ２０は、通常のシースルータイプのメガネとして機能する。
【００１７】
カメラ２１（２１ａ及び２１ｂ）は、電子メガネの前方（右眼の前方及び左眼の前方）を撮影する撮像装置であり、例えば、透過スクリーン２２（２２ａ及び２２ｂ）の上方に固定されたイメージセンサである。ここで、上方とは、電子メガネ２０が図２Ａ及び図２Ｂに示される状態で水平面に配置された場合における鉛直上方をいう。なお、本実施の形態では、カメラ２１は、右眼用カメラ２１ａと左眼用カメラ２１ｂとで構成されるが、必ずしもこの構成に限られず、右眼用と左眼用で共用される１個のイメージセンサで構成されてもよい。
【００１８】
メガネ通信部２３は、照明器具４０と通信する通信インタフェースであり、例えば、Ｂｌｕｅｔｏｏｔｈ（登録商標）等の無線通信用のインタフェースである。なお、本実施の形態では、メガネ通信部２３は、メガネ制御部２４による制御の下で照明器具４０に情報を送信する場合には、電子メガネ２０の識別情報も一緒に送信する。
【００１９】
メガネ制御部２４は、カメラ２１、透過スクリーン２２及びメガネ通信部２３とやりとりすることで電子メガネ２０全体の制御を行うコントローラであり、例えば、プログラムを内蔵したマイコン（マイクロコンピュータ又はマイクロコントローラ）である。メガネ制御部２４は、カメラ２１（２１ａ及び２１ｂ）で得られた映像を透過スクリーン２２（それぞれ２２ａ及び２２ｂ）に表示する制御をする。また、メガネ制御部２４は、カメラ２１で得られた映像から電子メガネ２０を含む空間の明るさを示す明るさ情報を取得し、取得した明るさ情報に基づいて、空間の明るさが、透過スクリーン２２に映像を表示させるのに十分な明るさとして予め定められた閾値を超えるか否かを判断する。そして、メガネ制御部２４は、判断した結果を示す情報を、判断情報としてメガネ通信部２３を介して照明器具４０に送信する。なお、メガネ制御部２４は、所定時間を待っても空間の明るさが映像表示に十分な明るさよりも低減されない場合には、外光をバックライトして利用するために、透過スクリーン２２を透過モードにし、バックライト光源の強さを低減又はオフする。また、メガネ制御部２４は、カメラ２１で得られた映像に基づいて、空間又は映像中の対象物について、明るさ及び色温度の少なくとも一つの分布における不均一性（ムラ）を特定し、特定した不均一性が均一化されるように、透過スクリーン２２に表示する映像を補正する機能も有する。
【００２０】
なお、本実施の形態では、メガネ制御部２４がカメラ２１から映像を取り込んで透過スクリーン２２に出力しているが、メガネ制御部２４による制御の下で、カメラ２１が直接、透過スクリーン２２に映像を出力してもよい。
【００２１】
外光取り込み部２５（２５ａ及び２５ｂ）は、外光を取り込んで透過スクリーン２２に導くことで、透過スクリーン２２（２２ａ及び２２ｂ）を照らす構造物である。なお、「外光」とは、電子メガネ２０の外部から電子メガネ２０に照射されている光であり、屋外の光だけでなく屋内の光も含まれる。本実施の形態では、右眼用外光取り込み部２５ａは、外光を取り込んで右眼用透過スクリーン２２ａを照らし、左眼用外光取り込み部２５ｂは、外光を取り込んで左眼用透過スクリーン２２ｂを照らす。外光取り込み部２５（２５ａ及び２５ｂ）は、例えば、透過スクリーン２２（２２ａ及び２２ｂ）の上方に固定され、外光を集める集光レンズと、集光レンズで得た光を透過スクリーン２２（２２ａ及び２２ｂ）に導く導光部とから構成される。外光取り込み部２５によって、透過スクリーン２２を照らすバックライト光源（図示せず）の明るさが補われる。
【００２２】
発電部２６は、使用者１２の額の熱から電力を生成し、生成した電力を電子メガネ２０の動作用電力として供給するエナジーハーベスティングを行う電源である。本実施の形態では、発電部２６は、電池（一次電池、二次電池又は太陽電池等）を内蔵しており、電池からの電力と併せて、このエナジーハーベスティングによる電力を供給する電源部として機能する。また、発電部２６は、電子メガネ２０に設けられた電源スイッチ（図示せず）がオフされると、電力の供給を停止する。
【００２３】
なお、図２Ａ及び図２Ｂに示されるように、本実施の形態では、カメラ２１、メガネ通信部２３、メガネ制御部２４及び発電部２６は、透過スクリーン２２の上方に設けられた一つの筺体２８に収容されている。ただし、外光取り込み部２５（２５ａ及び２５ｂ）は、筺体２８の上面に、外光の取り込み口を有する。また、発電部２６は、筺体２８の内側の面に、使用者１２の額の熱を取り込む検出面を有する。
【００２４】
図４は、図１に示された照明器具４０の構成を示すブロック図である。
【００２５】
照明器具４０は、光源４１、器具通信部４２、器具制御部４３及び人感センサ４４を備える。
【００２６】
光源４１は、照明光を発する光源であり、例えば、ＬＥＤ（Ｌｉｇｈｔ  Ｅｍｉｔｔｉｎｇ  Ｄｉｏｄｅ）等である。
【００２７】
器具通信部４２は、電子メガネ２０と通信する通信インタフェースであり、例えば、Ｂｌｕｅｔｏｏｔｈ（登録商標）等による無線通信によって電子メガネ２０と通信する。
【００２８】
人感センサ４４は、人の存在を検知する人感センサであり、例えば、焦電型赤外線センサ、カメラ等である。
【００２９】
器具制御部４３は、光源４１、器具通信部４２及び人感センサ４４とやりとりすることで照明器具４０全体の制御を行うコントローラであり、例えば、プログラムを内蔵したマイコン（マイクロコンピュータ又はマイクロコントローラ）である。器具制御部４３は、器具通信部４２が電子メガネ２０から判断情報を受信した場合に、判断情報に基づいて光源４１を制御する。より詳しくは、器具制御部４３は、受信した判断情報が、空間の明るさが上記閾値を超えることを示す場合には、光源４１の明るさを低減させる制御をする。また、器具制御部４３は、人感センサ４４から出力された信号と器具通信部４２によって電子メガネ２０から受信した情報（例えば、電子メガネ２０の識別情報）とに基づいて、電子メガネを装着していない人がいるか否かを判断する。そして、そのような人がいると判断した場合に、器具制御部４３は、光源４１の明るさを低減させる制御を抑制する。
【００３０】
以上のように構成された本実施の形態の照明システム１０の動作について、説明する。
【００３１】
図５Ａは、本実施の形態の照明システム１０の動作を示す通信シーケンス図である。ここでは、電子メガネ２０と照明器具４０とのやりとり（通信）が示されている。図５Ｂは、図５ＡのステップＳ１０の詳細を示すフローチャートである。図５Ｃは、図５ＡのステップＳ１２の詳細を示すフローチャートである。なお、ここで示される処理は、電子メガネ２０における映像表示（カメラ２１（２１ａ及び２１ｂ）で得られた映像を透過スクリーン２２（それぞれ２２ａ及び２２ｂ）に表示する処理）と並行して行われる。
【００３２】
まず、電子メガネ２０は、空間の明るさを判断する（Ｓ１０）。つまり、電子メガネ２０のメガネ制御部２４は、カメラ２１で得られた映像から電子メガネ２０を含む空間の明るさを示す明るさ情報を取得する。そして、メガネ制御部２４は、取得した明るさ情報に基づいて、空間の明るさが、透過スクリーン２２に映像を表示させるのに十分な明るさとして予め定められた閾値を超えるか否かを判断する。
【００３３】
より詳しくは、図５Ｂに示されるように、メガネ制御部２４は、カメラ２１で得られた映像の時間的及び空間的な平均値を算出することで、電子メガネ２０を含む空間の明るさを示す明るさ情報を取得する（Ｓ２０）。そして、メガネ制御部２４は、明るさ情報が第１閾値よりも大きいか否かを判断する（Ｓ２１）。ここで、第１閾値は、透過スクリーン２２に映像を表示させるのに十分な明るさとして予め定められた閾値である。その結果、明るさ情報が第１閾値よりも大きい場合には（Ｓ２１でＹｅｓ）、メガネ制御部２４は、判断情報として、「明るい」を示す値に設定する（Ｓ２２）。一方、明るさ情報が第１閾値よりも大きくない場合には（Ｓ２１でＮｏ）、メガネ制御部２４は、続いて、明るさ情報が第２閾値よりも大きいか否かを判断する（Ｓ２３）。ここで、第２閾値は、第１閾値よりも小さい（暗い）値であって、透過スクリーン２２に映像を表示させるのに必要な最低限の明るさとして予め定められた閾値である。明るさ情報が第２閾値よりも大きい場合には（Ｓ２３でＹｅｓ）、メガネ制御部２４は、判断情報として、「中程度」を示す値に設定する（Ｓ２４）。一方、明るさ情報が第２閾値よりも大きくない場合には（Ｓ２３でＮｏ）、メガネ制御部２４は、判断情報として、「暗い」を示す値に設定する（Ｓ２５）。
【００３４】
次に、図５Ａに示されるように、電子メガネ２０のメガネ制御部２４は、上記ステップＳ１０での判断結果を示す判断情報を、メガネ通信部２３を介して照明器具４０に送信する（Ｓ１１）。
【００３５】
判断情報を受信した照明器具４０では、器具制御部４３は、受信した判断情報に基づいて、光源４１の明るさを調整する（Ｓ１２）。
【００３６】
より詳しくは、図５Ｃに示されるように、器具制御部４３は、受信した判断情報が「明るい」を示す場合には（Ｓ３０で「明るい」）、光源４１の明るさを所定量だけ低減させる（暗くする）制御する（Ｓ３１）。もし、直前の光源４１の明るさが所定量未満であった場合には、器具制御部４３は、光源４１をオフさせる。また、受信した判断情報が「中程度」を示す場合には（Ｓ３０で「中程度」）、器具制御部４３は、光源４１に対する制御をしないで、光源４１の明るさをそのまま維持する（Ｓ３２）。また、受信した判断情報が「暗い」を示す場合には（Ｓ３０で「暗い」）、器具制御部４３は、光源４１の明るさを所定量だけ増加させる（明るくする）制御をする（Ｓ３３）。もし、直前の光源４１の明るさがフル点灯（最大の明るさ）よりも所定量未満だけ暗い状態であった場合には、器具制御部４３は、光源４１をフル点灯させる。
【００３７】
以上の処理（Ｓ１０〜Ｓ１２）は、電子メガネ２０の電源がオンされている限り、一定周期（例えば、１０秒周期）で繰り返される。このような電子メガネ２０と照明器具４０との定期的なやりとりによって、照明器具４０の明るさが、電子メガネ２０において映像を提示するのに十分な明るさを超える場合には、その明るさが自動的に必要な明るさまで低減され、省エネが図られる。また、照明器具４０の明るさが、電子メガネ２０において映像を表示するのに最低限必要な明るさに満たない場合には、その明るさが自動的に必要な明るさまで増加され、電子メガネ２０における映像の提供が維持される。
【００３８】
なお、メガネ制御部２４は、判断情報を照明器具４０に送信してから所定時間（例えば、１分）を待っても空間の明るさが映像表示に十分な明るさよりも低減されない場合には、透過スクリーン２２を照らすバックライト光源の強さを所定量だけ低減又はオフする。これによって、電子メガネ２０が屋外等の明るい場所で使用されている場合に、外光がバックライトとして利用され、透過スクリーン２２を照らすバックライト光源の強さが所定量だけ低減又はオフされるので、電子メガネ２０における省エネが図られる。
【００３９】
次に、本実施の形態の電子メガネ２０における映像の補正処理について説明する。
【００４０】
図６は、本実施の形態の電子メガネ２０における映像の補正処理を説明するための状況説明図である。ここでは、照明器具４０で照らされた机１３の上に、置物１４と白色の用紙１６とが置かれた様子が示されている。
【００４１】
用紙１６は、電子メガネ２０を装着した使用者１２が見ている対象物（視対象）の一例である。用紙１６の左下隅には、照明器具４０からの照明光を遮る置物１４による影１６ａが映っている。本実施の形態の電子メガネ２０によれば、使用者１２が電子メガネ２０を通して用紙１６の全体を見た場合に、電子メガネ２０による映像の補正処理により、用紙１６に移った影１６ａが除去され、用紙１６の色が均一化され得る。
【００４２】
図７は、図６に示された状況下における電子メガネ２０の補正処理、つまり、本実施の形態の電子メガネ２０における映像の補正処理を示すフローチャートである。
【００４３】
メガネ制御部２４は、カメラ２１で得られた映像を取得し（Ｓ４０）、取得した映像を構成する各フレーム画像に対して、次の補正処理（Ｓ４１〜Ｓ４３）を施す。
【００４４】
つまり、メガネ制御部２４は、フレーム画像に対して微分等を行って輪郭抽出処理を施すことで、映像中の対象物（ここでは、用紙１６の画像）の輪郭を抽出する（Ｓ４１）。
【００４５】
そして、メガネ制御部２４は、抽出した輪郭内の画像（用紙１６の画像）について、輝度の平均値を算出し、算出した平均値から一定の閾値を超えて異なる輝度をもつ画素を特定することにより、用紙１６の明るさの分布における不均一性（ムラ）を特定する（Ｓ４２）。
【００４６】
さらに、メガネ制御部２４は、特定した不均一性をもつ画素の輝度が平均値に近づくように、画素の輝度値を変更することにより、用紙１６の画像の均一化を行う（Ｓ４３）。
【００４７】
メガネ制御部２４は、このような補正処理（Ｓ４１〜Ｓ４３）で得られた映像を、透過スクリーン２２に出力する（Ｓ４４）。
【００４８】
このような補正処理により、映像中の対象物について、明るさの分布における不均一性（ムラ）が解消され、透過スクリーン２２には、現実よりも明瞭に対象物が表示される。また、電子メガネ２０のわずかな移動によって空間や視対象の照明条件が激しく変化してしまうことが抑制される。
【００４９】
なお、メガネ制御部２４は、映像中の対象物について、明るさの分布における不均一性を特定し、特定した不均一性を均一化したが、明るさ及び色温度の少なくとも一つの分布における不均一性を特定し、特定した不均一性を均一化してもよい。また、メガネ制御部２４は、カメラ２１で得られた映像を用いて不均一性を特定したが、カメラ２１とは異なる光センサを用いて不均一性を特定してもよい。
【００５０】
次に、本実施の形態の照明器具４０における人感センサ４４を用いた処理について説明する。
【００５１】
図８は、本実施の形態の照明器具４０における人感センサ４４を用いた処理を説明するための状況説明図である。ここでは、照明器具４０で照らされた部屋に、電子メガネ２０ａを装着した使用者１２ａ、電子メガネ２０ｂを装着した使用者１２ｂ、電子メガネを装着していない人１２ｃがいる様子が示されている。なお、電子メガネ２０ａ及び電子メガネ２０ｂは、本実施の形態における電子メガネ２０と同一の機能を有する。
【００５２】
このような状況において、照明器具４０が、電子メガネ２０ａ及び２０ｂからの判断情報に基づいて電子メガネ２０ａ及び２０ｂで必要とされる明るさにまで照明光を低減したのでは、電子メガネを装着していない人１２ｃにとっては不都合が生じる。つまり、電子メガネを装着していない人１２ｃにとっては部屋が暗くなりすぎるために、作業ができないという問題が発生し得る。そこで、本実施の形態の照明器具４０によれば、このような不具合が回避され得る。
【００５３】
図９は、図８に示された状況下における照明器具４０の処理、つまり、本実施の形態の照明器具４０における人感センサ４４を用いた制御を示すフローチャートである。
【００５４】
照明器具４０の器具制御部４３は、器具通信部４２を介して、各電子メガネ２０ａ及び２０ｂから、それぞれの識別情報を受信する（Ｓ５０）。
【００５５】
続いて、器具制御部４３は、人感センサ４４から出力された信号に基づいて、部屋にいる人の数を計測する（Ｓ５１）。例えば、人感センサ４４がカメラである場合には、器具制御部４３は、そのカメラで得られた映像を解析（例えば、人物像を抽出）することにより、部屋にいる人の数を特定する。
【００５６】
そして、器具制御部４３は、カメラ２１ａ及び２１ｂから取得した識別情報の数と、人感センサ４４を用いて特定した人の数との差を算出することで、電子メガネを装着していない人が部屋にいるか否かを判断する（Ｓ５２）。つまり、器具制御部４３は、算出した差が電子メガネを装着していない人の数を示していると判断し、電子メガネを装着していない人の存否を判断する。
【００５７】
その結果、電子メガネを装着していない人がいると判断した場合には（Ｓ５２でＹｅｓ）、器具制御部４３は、カメラ２１ａ及び２１ｂから「明るい」を示す判断情報を受信した場合に光源４１の明るさを低減させる制御を抑制する（Ｓ５３）。具体的には、器具制御部４３は、カメラ２１ａ及び２１ｂから「明るい」を示す判断情報を受信した場合に光源４１の明るさを低減させるが、その低減における明るさの下限値を設定（決定して保持）する。明るさの下限値は、電子メガネを装着していない人が肉眼で物を見るのに必要な明るさとして予め定められた値である。よって、その後にカメラ２１ａ及び２１ｂから「明るい」を示す判断情報を受信した場合に、器具制御部４３は、光源４１の明るさを所定量だけ低減させるが、もし、光源４１の明るさが下限値を超えてしまう場合には、下限値を限界として明るさを低減する。これにより、同じ部屋に電子メガネを装着した人と装着していない人が混在する場合に、電子メガネを装着していない人にとっては部屋が暗くなりすぎるという不具合が回避される。
【００５８】
なお、電子メガネを装着していない人が眠っている場合等、電子メガネを装着していないが照明制御を考慮しなくてもよい人が部屋にいる場合には、その人数を器具制御部４３に伝えるユーザインタフェースを設けてもよい。
【００５９】
以上のように、本実施の形態における照明システム１０は、映像表示機能を有する透過型の電子メガネ２０と照明器具４０とを備える。電子メガネ２０は、透過スクリーン２２と、電子メガネ２０の前方を撮影するカメラ２１と、カメラ２１で得られた映像を透過スクリーン２２に表示する制御をするメガネ制御部２４と、照明器具４０と通信するメガネ通信部２３とを備える。メガネ制御部２４は、さらに、当該電子メガネ２０を含む空間の明るさを示す明るさ情報を取得し、取得した明るさ情報に基づいて、空間の明るさが、透過スクリーン２２に映像を表示させるのに十分な明るさとして予め定められた閾値を超えるか否かを判断する。そして、メガネ制御部２４は、判断した結果を示す情報を、判断情報としてメガネ通信部２３を介して照明器具４０に送信する。照明器具４０は、光源４１と、電子メガネ２０と通信する器具通信部４２と、器具通信部４２が電子メガネ２０から判断情報を受信した場合に、判断情報に基づいて光源４１を制御する器具制御部４３とを備える。
【００６０】
より詳しくは、器具制御部４３は、判断情報が、空間の明るさが閾値を超えることを示す場合には、光源４１の明るさを低減させる制御をする。
【００６１】
これにより、電子メガネ２０と照明器具４０との連携により、照明器具４０の明るさが、電子メガネ２０で映像を表示させるのに十分な明るさを超える場合には、その明るさが自動的に低減され、必要な明るさに調整される。よって、照明システム１０全体における省エネが図られる。
【００６２】
また、メガネ制御部２４は、カメラ２１で得られた映像に基づいて、空間又は映像中の対象物について、明るさ及び色温度の少なくとも一つの分布における不均一性を特定する。そして、メガネ制御部２４は、特定した不均一性が均一化されるように、透過スクリーン２２に表示する映像を補正する。これにより、空間又は映像中の対象物について、明るさ及び色温度の少なくとも一つの分布における不均一性が解消され、透過スクリーン２２には、現実よりも明瞭な空間又は対象物が表示される。また、電子メガネ２０のわずかな移動によって空間や視対象の照明条件が激しく変化してしまうことが抑制される。
【００６３】
また、電子メガネ２０は、さらに、外光を取り込んで透過スクリーン２２に導く外光取り込み部２５を備える。これにより、外光が透過スクリーン２２に取り込まれて照らされるので、透過スクリーン２２を照らすバックライト光源の明るさが補われ、さらに省エネが図られる。
【００６４】
また、電子メガネ２０は、さらに、当該電子メガネ２０を装着している使用者の額の熱から電力を生成し、生成した電力を電子メガネ２０の動作用電力として供給する発電部２６を備える。これにより、電子メガネ２０が顔にかけられるということと、広い面積で発熱する額の特性とを利用して、効率的にエナジーハーベスティングが行われ、電子メガネ２０における省エネが図られる。
【００６５】
また、照明器具４０は、さらに、人の存在を検知する人感センサ４４を備える。器具制御部４３は、人感センサ４４から出力された信号と器具通信部４２によって電子メガネ２０から受信した情報とに基づいて、電子メガネ２０を装着していない人がいるか否かを判断する。そして、いると判断した場合に、器具制御部４３は、光源４１の明るさを低減させる制御を抑制する。これにより、同じ部屋に電子メガネを装着した人と装着していない人がいる場合に、電子メガネを装着していない人にとっては部屋が暗くなりすぎるという不具合が回避される。
【００６６】
以上、本発明の照明システムについて、実施の形態に基づいて説明したが、本発明は、この実施の形態に限定されるものではない。本発明の主旨を逸脱しない限り、当業者が思いつく各種変形を本実施の形態に施したものや、実施の形態における一部の構成要素を組み合わせて構築される別の形態も、本発明の範囲内に含まれる。
【００６７】
例えば、電子メガネ２０は、使用者１２の眼の状態を検出する眼状態センサを備えてもよい。眼状態センサは、例えば、電子メガネ２０に装着され、使用者１２の眼を撮影するカメラ、あるいは、電子メガネ２０のパッド（鼻あて）に装着された電極で構成される。メガネ制御部２４は、カメラで撮影された画像を解析したり、あるいは、電極で得られた眼電位を解析したりすることで、使用者１２の眼の状態を検出できる。メガネ制御部２４は、使用者１２の眼の状態を把握し、照明器具４０による照明条件の設定に反映する。例えば、眼の状態によって使用者１２に眠気や疲労があると判断した場合、映像の見えを強調するために、表示される映像の鮮やかさを上げる（明るさを上げたり、色温度を高くしたりする）制御をする。あるいは、その場合であっても、眼を休めるために、映像の鮮やかさを下げる（明るさを下げたり、色温度をさげたりする）制御をしてもよい。さらに、見ていないと判断して、照明器具４０による照明を消すような制御も可能である。このように、使用者１２の眼の状態を把握することで、電子メガネ２０及び照明器具４０について、より適切な照明条件に設定することができる。
【００６８】
なお、このような眼状態センサを用いた制御において、映像の見えを強調するか、眼を休めるか等のモード切り替えを行ってもよい。そのときに、使用者ごとにモードを設定してもよい。その場合、使用者の個人識別については、眼の特徴をもとに行ってもよい。 
【００６９】
また、電子メガネ２０は、前方にある対象物までの距離を測定する距離センサを備えてもよい。これにより、距離センサを用いて接近物を検出することで、透過スクリーン２２に表示する映像において、接近物を強調表示する等の映像補正が可能になる。
【００７０】
また、電子メガネ２０が備えるカメラ２１は、ズーム（拡大・縮小、広視野化）機能を有してもよい。これにより、使用者１２は、リモコン等を用いて電子メガネ２０に指示することで、所望の倍率（光視野）で、透過スクリーン２２上の映像で外界を見ることができる。
【００７１】
また、電子メガネ２０は、メガネ通信部２３を介して外部（無線通信で接続される情報端末あるいはインターネット上の通信装置等）から取得した情報（例えば、電子メール）を、透過スクリーン２２の映像に重畳表示してもよい。
【００７２】
また、電子メガネ２０は、使用者１２の視線を検知する視線検知部を備えてもよい。視線検知部は、例えば、電子メガネ２０に装着され、使用者１２の眼を撮影するカメラで構成される。メガネ制御部２４は、カメラで撮影された画像を解析することで、使用者１２の眼の状態を検知できる。これにより、メガネ制御部２４は、視線検知部から取得した情報を、メガネ通信部２３を介して外部（無線通信で接続される情報端末あるいはインターネット上の通信装置等）に送ることで、使用者１２の視線を利用した様々なアプリケーションが構築され得る。
【００７３】
また、上記実施の形態では、電子メガネ２０が判断情報を照明器具４０に送信したが、これに代えて、あるいは、これに加えて、電子メガネ２０が、取得した明るさ情報を照明器具４０に送信し、照明器具４０において、明るさ情報を判断してもよい。つまり、明るさ情報を受信した照明器具４０が、明るさ情報が示す空間の明るさが、透過スクリーン２２に映像を表示させるのに十分な明るさとして予め定められた閾値を超えるか否かを判断してもよい。
【００７４】
また、上記実施の形態では、電子メガネ２０と照明器具４０との間では、電波による無線通信が行われたが、赤外線による通信や可視光通信であってもよい。
【００７５】
また、上記実施の形態では、照明システム１０は、１個の照明器具４０で構成されたが、複数の照明器具で構成されてもよい。複数の照明器具が設けられている場合、電子メガネからは、どの照明器具に対しても同じ情報を送り、照明器具同士が通信することで、全体の照明の最適化を図る。具体的には、電子メガネは、電子メガネを装着している使用者の空間内での位置及び方向を示す位置情報をセンサ等で取得し、その位置情報を各照明器具に送信する。一方、位置情報を受信した照明器具は、自分の位置と、使用者の位置及び方向から、他の照明器具との最適なバランスを図る（つまり、担当範囲を設定する）。担当範囲を設定した後は、照明器具は、担当範囲にある電子メガネに対して、上記実施の形態と同様の連携動作をする。
【００７６】
このとき、照明器具が高性能な人感センサを備え、その人感センサで装着者の位置及び方向を知ることができる場合には、電子メガネが位置情報を照明器具に送信する必要はない。また、使用者の位置及び方向を取得する、ジャイロやビーコンを使用してもよいし、電子メガネのカメラ画像をもとに画像処理にて部屋の中での使用者の位置及び方向を推定してもよい。ビーコンを使用する場合には、照明器具がビーコンを送信し、電子メガネがビーコンを受信することで、当該照明器具との相対位置を把握してもよい。
【符号の説明】
【００７７】
１０  照明システム
１２  使用者
２０  電子メガネ
２１  カメラ
２２  透過スクリーン
２３  メガネ通信部
２４  メガネ制御部
２５  外光取り込み部
２６  発電部
４０  照明器具
４２  器具通信部
４３  器具制御部
４１  光源
【図１】
2017147098.tif 000003
【図２Ａ】
2017147098.tif 000004
【図２Ｂ】
2017147098.tif 000005
【図３】
2017147098.tif 000006
【図４】
2017147098.tif 000007
【図５Ａ】
2017147098.tif 000008
【図５Ｂ】
2017147098.tif 000009
【図５Ｃ】
2017147098.tif 000010
【図６】
2017147098.tif 000011
【図７】
2017147098.tif 000012
【図８】
2017147098.tif 000013
【図９】
2017147098.tif 000014